(57)【要約】      （修正有）【課題】整髪時、利用者が、簡便に、育毛剤・養毛剤と整髪料を、その本来の目的どおりに使用し、抜け毛・禿防止に効果的な育毛剤・養毛剤用専用容器を提供する。【解決手段】頭髪の成育を目的に、頭皮毛根に塗付する育毛剤・養毛剤を入れた容器本体１に、頭皮を傷つけないように丸みを持たせた先端部分に、溶剤・溶液の出口の穴４を開けた針３のついた蓋２を圧着した育毛・養毛の効果が高く、且つ、毛髪に無駄に付着するのを防ぐことが出来る。【選択図】図１
0003227201.tif 000002
【実用新案登録請求の範囲】
【請求項１】
頭髪の成育を目的に、頭皮毛根に塗付する育毛剤・養毛剤等を入れた１に、頭皮を傷つけないように丸みを持たせた先端部分に、溶剤・溶液の出口の穴４を開けた針３のついた蓋２を圧着した容器。
【請求項２】
頭髪の表面を保護するため、整髪料等を入れた１´に、側面に溶液の出口の穴４´が複数開いた、頭皮を傷つけないよう先端部分に、丸みを持たせた針３´のついた蓋２´を圧着した容器
【請求項３】
［請求項１］［請求項２］の容器を、一つに纏め、１と１´を半々に分け、針３と針３´を混合し蓋２に同時に設け、利用するのも良い。
【考案の詳細な説明】
【技術的分野】
【０００１】  本考案は、整髪時、利用者が、簡便に、育毛剤・養毛剤と整髪料を、その本来の目的どおりに使用し、抜け毛・禿防止に効果的な毛髪用容器に関するものである。
【背景技術】
【０００２】  平和な世の中が続くと、人は、自然と自分の容姿に関心をもつものである。
中でも、現代の複雑な世の中になると、ストレスが増し、そのことも要因の一つとなり、中高年になると、急速に頭髪が薄くなることに悩む傾向にある。
頭髪が薄くなるのは、勿論、遺伝的な要素も否定し得ないが、最近は、女性にも、薄毛に悩む人達が、多くなっていることも事実である。
これには、無意識に行っている間違った髪の手入れの仕方に、大きな一因があるのである。
【考案が解決しようとする課題】
【０００３】  多くの人が、薄毛になる原因は、自分自身が作っていることに、気づいていないのである。換言すれば、「ハゲを自分で作っている。」のである。
そして、薄毛になって、あわてて多額のカネを使い、増毛のための手当をし、最終的には、カツラを被って、自己満足するか、或いは、禿げ頭のまま諦めているのである。
【０００４】  これを防止するため、または、そうなる時間を遅らせるため、世の中には、多くの育毛剤・養毛剤・整髪料が、星の数ほど出回っているのが現状である。
【０００５】  しかしながら、多くの人が、メーカーの宣伝文句に踊らされ、あたかも、高額な育毛剤・養毛剤・整髪料を頭部に振り掛けさえすれば、頭髪は元気になり、増毛し、少なくとも薄毛は防止出来ると錯覚しているのである。
【０００６】  即ち、増毛を期待して、養毛剤・育毛剤をいくら多めに頭部に振り掛けても、その大部分は、頭髪に付着し、思ったほど頭皮には塗り込めていないのである。
一方、整髪料を、頭部に振り掛けると、髪に大部分が付着し、その役目を果たすのであるが、その一部が頭皮に流れ込み、毛穴を塞ぎ、頭髪の成育を妨げているのである。この繰り返しが、やがて、脱毛、薄毛、ハゲの原因となるのである。
【０００７】  本考案は、これらの欠点を無くすため、簡単に使用することが出来、且つ、同時に、育毛剤・養毛剤、整髪料を、その本来の目的を達するため、従来に無い方法で、解決しようとするものである。
【課題を解決するための手段】
【０００８】  従来の養毛剤・育毛剤、整髪料等の溶剤・溶液は、その「保管」に重点がおかれ、瓶又はプラスチックボトルに入れ、その細い一箇所の出口から、少しずつ出るように工夫され、それを無造作に頭部に振り掛け使用していた。
それに反し、本考案は、それらの溶液・溶剤の「保管」にではなく、その本来の「目的」に重点をおき、その使用が、簡便に、効能効果を発揮出来るように工夫されたものである。
【考案の効果】
【０００９】  即ち、本考案は、溶剤・溶液の入れ物を、単なるボトルではなく、その形状にも、工夫を凝らし、且つ、中の溶剤・溶液の出口にも、その効果が最大限に及ぶように工夫されたものである。
【考案を実施するための形態】
【００１０】  以下、本考案実施の形態について、図面に基づき具体的に説明する。
【００１１】  図１は、本考案実施例を示すものである。（イ）は、育毛剤・養毛剤用、（ロ）は、整髪料用である。
【００１２】  図２は、本考案を、下部から視たものであり、（イ）は、育毛剤・養毛剤用  （ロ）は、整髪用である。（ハ）は、（イ）（ロ）を上部から視たものである。
【００１３】  図３は、本考案の頭部に接触する部分（針）の一つを拡大し、溶剤・溶液の出口を判りやすく図示したものである。
（イ）は、育毛剤・養毛剤用  （ロ）は、整髪料用である。
双方とも、頭皮を傷つけないよう、先端に丸く膨らみを持たせてある。
【図面の簡単な説明】
【００１４】
【図１】図１は、容器の全体を、斜視したものである。（イ）は、育毛剤・養毛剤用  （ロ）は、整髪料用である。
【００１５】
【図２】図２は、（イ）（ロ）が下部から、（ハ）が（イ）（ロ）を上部から視たものである。
【００１６】
【図３】図３は、（イ）が育毛剤・養毛剤用  （ロ）が整髪料用のそれぞれの針の一つを拡大し、その出口の穴を示したものである。
【符号の説明】
【００１７】１・・・育毛剤・養毛剤を入れる容器本体
２・・・溶剤を本体注入後、圧着する針を持つ蓋
３・・・溶剤の出口となる穴のある針
４・・・溶剤の出口の穴
１´・・・整髪料を入れる容器本体
２´・・・溶液を本体注入後、圧着する針を持つ蓋
３´・・・溶液の出口となる穴のある針
４´・・・溶液の出口
【図１】
0003227201.tif 000003
【図２】
0003227201.tif 000004
【図３】
0003227201.tif 000005
【手続補正書】
【提出日】令和1年6月28日(2019.6.28)
【手続補正１】
【補正対象書類名】実用新案登録請求の範囲
【補正対象項目名】全文
【補正方法】変更
【補正の内容】
【実用新案登録請求の範囲】
【請求項１】
頭髪の成育を目的に、頭皮毛根に塗付する育毛剤・養毛剤を入れた容器本体（１）に、頭皮を傷つけないように丸みを持たせた先端部分に、溶剤・溶液の出口の穴（４）を開けた針（３）のついた蓋（２）を圧着した育毛・養毛の効果が高く、且つ、毛髪に無駄に付着するのを防ぐことの出来る育毛剤・養毛剤用専用容器
【請求項２】
頭髪の表面を保護するため、整髪料等を入れた容器本体（１´）に、側面に溶液の出口の穴（４´）が複数開いた、頭皮を傷つけないよう先端部分に、丸みを持たせた針（３´）のついた蓋（２´）を圧着した、無駄に毛皮に流れだし、毛根を塞ぎ、毛髪の成育を阻害することなく、毛髪の表面のみに付着する整髪料専用容器
【請求項３】
［請求項１］の育毛剤・養毛剤専用容器と、［請求項２］の整髪料専用容器の効能を、一つに纏め、育毛・養毛と整髪の作業が、一度の使用で目的達成出来ることを特徴とする簡便頭髪美容器
【手続補正書】
【提出日】令和1年9月17日(2019.9.17)
【手続補正１】
【補正対象書類名】実用新案登録請求の範囲
【補正対象項目名】全文
【補正方法】変更
【補正の内容】
【実用新案登録請求の範囲】
【請求項１】
頭髪の成育を目的に、頭皮毛根に塗付する育毛剤・養毛剤を入れた容器本体（１）に、頭皮を傷つけないように丸みを持たせた先端部分に、溶剤・溶液の出口の穴（４）を開けた針（３）のついた蓋（２）を圧着した育毛・養毛の効果が高く、且つ、毛髪に無駄に付着するのを防ぐことの出来る育毛剤・養毛剤用専用容器
【請求項２】
頭髪の表面を保護するため、整髪料等を入れた容器本体（１´）に、側面に溶液の出口の穴（４´）が複数開いた、頭皮を傷つけないよう先端部分に、丸みを持たせた針（３´）のついた蓋（２´）を圧着した、無駄に毛皮に流れだし、毛根を塞ぎ、毛髪の成育を阻害することなく、毛髪の表面のみに付着する整髪料専用容器